(57)【特許請求の範囲】
【請求項１】
面体を有する取替え式防じんマスク又は面体を有する電動ファン付き呼吸用保護具の面体の鼻及び口辺を覆う部位に配設された排気弁を前記部位の外面側から覆う柔軟な膜体と、前記膜体を面体の前記部位の外面に係止させる係止部とを備えることを特徴とする面体を有する取替え式防じんマスク又は面体を有する電動ファン付き呼吸用保護具のカバー。
【請求項２】
膜体は、面体を有する取替え式防じんマスク又は面体を有する電動ファン付き呼吸用保護具の面体の鼻及び口辺を覆う部位に配設された伝声器を前記部位の外面側から覆うことを特徴とする請求項１に記載の面体を有する取替え式防じんマスク又は面体を有する電動ファン付き呼吸用保護具のカバー。
【請求項３】
膜体は、面体を有する取替え式防じんマスク又は面体を有する電動ファン付き呼吸用保護具の面体の鼻及び口辺を覆う部位の外面の、フィルター接続部と締め紐接続部とを除く略全面を覆うことを特徴とする請求項１又は２に記載の面体を有する取替え式防じんマスク又は面体を有する電動ファン付き呼吸用保護具のカバー。
【請求項４】
膜体は、不織布であることを特徴とする請求項１乃至３の何れか１項に記載の面体を有する取替え式防じんマスク又は面体を有する電動ファン付き呼吸用保護具のカバー。
【請求項５】
係止部は、面体の鼻及び口辺を覆う部位の外面に配設されたフィルター接続部を取り巻く環状部と、面体の鼻及び口辺を覆う部位の外面に配設された突起部に弾性係合する弾性体とを有することを特徴とする請求項１乃至４の何れか１項に記載の面体を有する取替え式防じんマスク又は面体を有する電動ファン付き呼吸用保護具のカバー。
【請求項６】
全面形面体又は半面形面体を備える、隔離式の防じんマスク又は面体を有する電動ファン付き呼吸用保護具、又は直結式の防じんマスク又は面体を有する電動ファン付き呼吸用保護具に使用されることを特徴とする請求項１乃至５の何れか１項に記載の面体を有する取替え式防じんマスク又は面体を有する電動ファン付き呼吸用保護具のカバー。
【発明の詳細な説明】
【技術分野】
【０００１】
本発明は、面体を有する取替え式防じんマスク又は面体を有する電動ファン付き呼吸用保護具のカバーに関するものである。
【背景技術】
【０００２】
JIST8151規定の面体を有する取替え式防じんマスク及びJIST8157規定の面体を有する電動ファン付き呼吸用保護具には、フィルターが連結管を介して面体に接続される隔離式と、フィルターが面体に直結される直結式とがある。面体には、面体が顔面全体を覆う全面形と、面体が鼻及び口辺を覆う半面形とがある。
面体を有する取替え式防じんマスク及び面体を有する電動ファン付き呼吸用保護具は、微粒子状物質が浮遊する種々の作業現場で使用される。
【発明の概要】
【発明が解決しようとする課題】
【０００３】
トンネルのセメント吹付け作業現場等、スラリー微細飛沫が浮遊する作業現場で面体を有する取替え式防じんマスクや面体を有する電動ファン付き呼吸用保護具が使用される場合がある。この場合、スラリー微細飛沫が排気弁に付着して排気弁の機能を阻害する可能性がある。伝声器を備える面体を有する取替え式防じんマスクや面体を有する電動ファン付き呼吸用保護具では、排気弁に加えて伝声器にスラリー微細飛沫が付着して伝声器の機能を阻害する可能性がある。
本発明は、面体を有する取替え式防じんマスクや面体を有する電動ファン付き呼吸用保護具の排気弁や伝声器にスラリー微細飛沫が付着するのを防止する簡便な手段を提供することを目的とする。
【課題を解決するための手段】
【０００４】
上記課題を解決するために、本発明においては、面体を有する取替え式防じんマスク又は面体を有する電動ファン付き呼吸用保護具の面体の鼻及び口辺を覆う部位に配設された排気弁を前記部位の外面側から覆う柔軟な膜体と、前記膜体を面体の前記部位の外面に係止させる係止部とを備えることを特徴とする面体を有する取替え式防じんマスク又は面体を有する電動ファン付き呼吸用保護具のカバーを提供する。
本発明においては、面体を有する取替え式防じんマスク又は面体を有する電動ファン付き呼吸用保護具の面体の鼻及び口辺を覆う部位の外面に係止した膜体が、排気弁を面体外面側から覆うので、スラリー微細飛沫は排気弁に付着せず、排気弁の機能を阻害しない。排気は、膜体が空気透過性の場合には膜体を通って、膜体が空気不透過性の場合には膜体と面体外面との間の隙間を通って、外部環境に排出されるので、カバーは防じんマスク又は呼吸用保護具の使用者の呼吸を妨げない。膜体は柔軟なので、軟質樹脂で形成された面体を傷付けない。
膜体と係止部とから成るカバーを使用して、面体を有する取替え式防じんマスク又は面体を有する電動ファン付き呼吸用保護具の排気弁にスラリー微細飛沫が付着するのを簡便に防止することができる。
【０００５】
本発明の好ましい態様においては、膜体は、面体を有する取替え式防じんマスク又は面体を有する電動ファン付き呼吸用保護具の面体の鼻及び口辺を覆う部位に配設された伝声器を前記部位の外面側から覆う。
面体を有する取替え式防じんマスク又は面体を有する電動ファン付き呼吸用保護具の面体が伝声器を備える場合、スラリー微細飛沫が伝声器に付着して伝声器の機能を阻害するのを防止するため、膜体は伝声器をも覆うべきである。
本発明の好ましい態様においては、膜体は、面体を有する取替え式防じんマスク又は面体を有する電動ファン付き呼吸用保護具の面体の鼻及び口辺を覆う部位の外面の、フィルター接続部と締め紐接続部とを除く略全面を覆う。
膜体が面体の鼻及び口辺を覆う部位の外面の略全面を覆うことにより、該部へのスラリー微細飛沫の付着が防止され、使用後の面体を有する取替え式防じんマスク又は面体を有する電動ファン付き呼吸用保護具の清掃作業が容易化される。フィルターや締め紐の機能を保全すべく、膜体は面体のフィルター接続部と締め紐接続部とを除く部位を覆うことが望ましい。
本発明の好ましい態様においては、膜体は不織布である。
不織布は柔軟な膜体であり、且つ加工性に優れ、軽量且つ安価なので、面体を有する取替え式防じんマスク又は面体を有する電動ファン付き呼吸用保護具のカバーの膜体の素材として好適である。
本発明の好ましい態様においては、係止部は、面体の鼻及び口辺を覆う部位の外面に配設されたフィルター接続部を取り巻く環状部と、面体の鼻及び口辺を覆う部位の外面に配設された突起部に弾性係合する弾性体とを有する。
面体には、排気弁カバー、伝声器カバー、バッテリーカバー等の種々の突起部が存在するので、環状部をフィルターカバー或いはフィルター接続管に外嵌合させ、弾性体を前記突起部に弾性係合させることによって、膜体を面体外面に係止させることが可能である。
本発明の好ましい態様においては、面体を有する取替え式防じんマスク又は面体を有する電動ファン付き呼吸用保護具のカバーは、全面形面体又は半面形面体を備える、隔離式の防じんマスク又は面体を有する電動ファン付き呼吸用保護具、又は直結式の防じんマスク又は面体を有する電動ファン付き呼吸用保護具に使用される。
本発明に係る面体を有する取替え式防じんマスク又は面体を有する電動ファン付き呼吸用保護具のカバーは、全面形面体又は半面形面体を備える、隔離式の防じんマスク又は面体を有する電動ファン付き呼吸用保護具、又は直結式の防じんマスク又は面体を有する電動ファン付き呼吸用保護具に使用可能である。
【図面の簡単な説明】
【０００６】
【図１】本発明の実施例に係る面体を有する電動ファン付き呼吸用保護具のカバーの構造図である。（ａ）は膜体を立体に広げた状態での斜視図であり、（ｂ）は膜体を平面に折り畳んだ状態での斜視図である。
【図２】面体を有する電動ファン付き呼吸用保護具であって半面形面体を備える直結式の呼吸用保護具の斜視図である。
【図３】本発明の実施例に係るカバーを、図２の面体を有する電動ファン付き呼吸用保護具であって半面形面体を備える直結式の呼吸用保護具に装着する手順を示す図である。
【発明を実施するための形態】
【０００７】
本発明の実施例に係る面体を有する電動ファン付き呼吸用保護具のカバーを説明する。
図１に示すように、カバー１は、円錐台状の環状部１ａと、環状部１ａの下辺の一部に接続して環状部１ａの下辺に添って延びる一対の腕部１ｂと、前記一対の腕部１ｂの先端間に架け渡されたゴム紐１ｃとを備えている。環状部１ａと腕部１ｂとは、柔軟な膜体である空気不透過性の不織布によって形成されている。
図２に示すように、面体を有する電動ファン付き呼吸用保護具であって半面形面体を備える直結式の呼吸用保護具２は、軟質樹脂製の接顔部３ａと、接顔部３ａの前面に固定された硬質樹脂製の接続部３ｂとから成り、使用者の鼻及び口辺を覆う半面形面体３を有している。
接続部３ｂは、図示しないバッテリー収納凹部を有する本体部３ｂ１と、本体部３ｂ１に固定されてバッテリー収納凹部の前面を覆うバッテリーカバー３ｂ２とを有している。バッテリー収納凹部の下面を覆う図示しない蓋部材が、接続部３ｂの下面に固定されている。蓋部材から延びる爪を係止する環状突起３ｂ３が、バッテリーカバー３ｂ２の前面下端に形成されている。
バッテリーカバー３ｂ２の前面中央部に図示しないフィルターと図示したフィルターカバーとから成るフィルター４が、本体部３ｂ１の前面上部に図示しない振動板と図示した振動板カバーとから成る伝声器５が、本体部３ｂ１の右側面上部に図示しない排気弁本体と図示した排気弁カバーとから成る排気弁６が、それぞれ着脱可能に取り付けられている。本体部３ｂ１の左側面上部に図示しないダイアフラム本体と図示したダイアフラムカバーとから成るダイアフラム７が固定されている。本体部３ｂ１の左右側面中央部に締め紐接続部８が固定されている。締め紐接続部８に締め紐９が係合している。
図示しないバッテリーが本体部３ｂ１の図示しないバッテリー収納凹部に収納され、図示しないフィルターの後方に配設された図示しないファンと、図示しないダイアフラムの変位を検知する図示しないセンサーと、センサーとファンの作動とを制御する図示しない制御装置とが、本体部３ｂ１内に配設されている。
呼吸用保護具２においては、面体内圧の変化に伴うダイアフラムの変位をセンサーが検知し、センサーの検知信号に基づいて制御装置が使用者の呼吸状態を認識し、使用者の呼吸状態に応じて制御装置がファンの作動を制御する。
【０００８】
カバー１を呼吸用保護具２に装着する手順を説明する。
図３（ａ）に示すように、腕部１ｂを面体３の上部に対峙させて、環状部１ａをフィルター４のフィルターカバーに外嵌合させる。
図３（ｂ）に示すように、フィルター４のフィルターカバーが環状部１ａを突き抜けるまで、環状部１ａと腕部１ｂとを面体３へ向けて押し下げ、図３（ｃ）に示すように、腕部１ｂを締め紐接続部８と面体３の本体部３ｂ１との間の隙間に通す。この結果、環状部１ａは面体３の中央部と下部とを覆い、腕部１ｂは面体３の上部を覆う。
図３（ｄ）に示すように、ゴム紐１ｃを締め紐接続部８と本体部３ｂ１との間の隙間を通して面体３の前面側へ移動させる。
図３（ｅ）に示すように、ゴム紐１ｃを環状部１ａの上から環状突起３ｂ３に係合させて、ゴム紐１ｃを面体３の下部に係止させる。
上記手順により、柔軟な膜体である空気不透過性の不織布によって形成された環状部１ａと腕部１ｂとが面体３の外面に係止される。
環状部１ａと腕部１ｂとは、伝声器５、排気弁６、ダイアフラム７を覆うと共に、フィルター接続部と締め紐接続部８とを除く面体３の外面の略全面を覆う。
【０００９】
呼吸用保護具２の面体３の鼻及び口辺を覆う部位の外面に係止した膜体である環状部１ａと腕部１ｂとが伝声器５、排気弁６、ダイアフラム７を外側から覆うので、スラリー微細飛沫が浮遊する作業現場で呼吸用保護具２を使用しても、スラリー微細飛沫は伝声器５、排気弁６、ダイアフラム７に付着せず、伝声器５、排気弁６、ダイアフラム７の機能を阻害しない。膜体である環状部１ａ、腕部１ｂは柔軟なので、軟質樹脂で形成された面体３の接顔部３ａを傷付けない。
カバー１を使用して、呼吸用保護具２の伝声器５、排気弁６、ダイアフラム７にスラリー微細飛沫が付着するのを簡便に防止することができる。
膜体である環状部１ａ、腕部１ｂが面体３の鼻及び口辺を覆う部位の外面の略全面を覆うことにより、該部へのスラリー飛沫の付着が防止され、使用後の呼吸用保護具２の清掃作業が容易化される。膜体である環状部１ａ、腕部１ｂは面体３のフィルター接続部と締め紐接続部８とを除く部位を覆うので、フィルター４や締め紐９の機能を阻害しない。
排気弁６から吐出した排気はカバー１と面体３との間の隙間を通って外部環境に排出されるので、空気不透過性のカバー１は呼吸用保護具２の使用者の呼吸を妨げない。
環状部１ａ、腕部１ｂを形成する不織布は柔軟な膜体であり、且つ加工性に優れ、軽量且つ安価なので、カバー１の素材として好適である。
面体３のバッテリーカバー３ｂ２には環状突起３ｂ３が存在するので、環状部１ａをフィルター４に外嵌合させ、弾性体であるゴム紐１ｃを環状突起３ｂ３に弾性係合させることによって、膜体である環状部１ａ、腕部１ｂを面体３の外面に係止させることが可能である。
【００１０】
カバー１の環状部１ａ、腕部１ｂの素材は、不織布に限定されない。柔軟で安価な素材であれば何でも良い。カバー１の環状部１ａ、腕部１ｂの素材は空気透過性でも良い。
カバー１は、面体を有する電動ファン付き呼吸用保護具であって半面形面体を備える直結式の呼吸用保護具２に適した構成を有していたが、面体の形式やフィルターの接続方式の如何に係わらず、面体を有する取替え式防じんマスク又は面体を有する電動ファン付き呼吸用保護具の面体の鼻及び口辺を覆う部位には、排気弁カバー、伝声器カバー、バッテリーカバー、フィルターカバー、フィルター接続管等の突起部が存在するので、柔軟な膜体と前記突起部に係合する係止部とでカバーを形成すれば、前記膜体で排気弁や伝声器を覆い且つ膜体を面体の鼻及び口辺を覆う部位の外面に係止させることができる。
膜体を面体外面に係止させる突起を面体外面に別途形成しても良い。
【産業上の利用可能性】
【００１１】
本発明に係るカバーは、全面形面体又は半面形面体を備える、隔離式の防じんマスク又は面体を有する電動ファン付き呼吸用保護具、又は直結式の防じんマスク又は面体を有する電動ファン付き呼吸用保護具に使用可能である。
【符号の説明】
【００１２】
１  カバー
１ａ  環状部
１ｂ  腕部
１ｃ  ゴム紐
２  呼吸用保護具
３  面体
４  フィルター
５  伝声器
６  排気弁
７  ダイアフラム
８  締め紐接続部
９  締め紐
【図１】
0005557283.tif 000002
【図２】
0005557283.tif 000003
【図３】
0005557283.tif 000004